(57)【特許請求の範囲】
【請求項１】
送信側の無線通信機から受信側の無線通信機を呼び出した場合に、前記送信側の無線通信機に設定されたコード番号を、受信側の無線通信機に送信するように構成された無線通信システムにおいて、
前記送信側の無線通信機は、
当該無線通信機に設定されたコード番号が書き込まれたコード番号記憶手段と、
当該無線通信機に設定された任意の文字列からなる文字情報を記憶可能な文字情報記憶手段と、
前記文字情報記憶手段に記憶させる文字情報を設定可能な設定手段と、
前記文字情報記憶手段に記憶された文字情報を送信する文字情報送信手段と、
緊急送信に用いるエマージェンシースイッチと、
前記エマージェンシースイッチが所定の操作されたか否かを判定する判定手段と、
を備えるとともに、
コード番号を送信するコード番号送信モードおよび任意の文字列からなる文字情報を送信するニックネーム送信モードの２つの送信モードを備え、
前記送信側の無線通信機において前記エマージェンシースイッチが所定の操作されたと判定したときには、当該無線通信機の送信モードが、コード番号送信モードであってもニックネーム送信モードであっても、前記文字情報と緊急送信であることを示す情報とを送信する緊急送信手段を備え、
受信側の無線通信機は、
送信側の無線通信機から送信された文字情報を受信して、文字情報を抽出する文字情報抽出手段と、
前記文字情報抽出手段にて抽出した文字情報を出力する出力手段とを備えていることを特徴とする無線通信機システム。
【請求項２】
送信側の無線通信機から受信側の無線通信機を呼び出した場合に、前記送信側の無線通信機に設定されたコード番号を、受信側の無線通信機に送信するように構成された無線通信システムに用いる無線通信機において、
当該無線通信機に設定されたコード番号が書き込まれたコード番号記憶手段と、
当該無線通信機に設定された任意の文字列からなる文字情報を記憶可能な文字情報記憶手段と、
前記文字情報記憶手段に記憶させる文字情報を設定可能な設定手段と、
前記文字情報記憶手段に記憶された文字情報を送信する文字情報送信手段と、
緊急送信に用いるエマージェンシースイッチと、
前記エマージェンシースイッチが所定の操作されたか否かを判定する判定手段と、
を備えるとともに、
コード番号を送信するコード番号送信モードおよび任意の文字列からなる文字情報を送信するニックネーム送信モードの２つの送信モードを備えて、前記文字情報が送信側の無線通信機から送信されると、受信側の無線通信機では、前記文字情報を受信して、文字情報を抽出し、抽出した文字情報が出力されるように構成されており、
前記エマージェンシースイッチが所定の操作されたと判定したときには、当該無線通信機の送信モードが、コード番号送信モードであってもニックネーム送信モードであっても、前記文字情報と緊急送信であることを示す情報とを送信する緊急送信手段を備えていることを特徴とする無線通信機。
【発明の詳細な説明】
【技術分野】
【０００１】
本発明は、送信側の無線通信機から受信側の無線通信機を呼び出した場合に、前記送信側の無線通信機に設定された数字列によるコード番号を、受信側の無線通信機に表示するように構成された無線通信システムに関するものである。
【背景技術】
【０００２】
従来より、送信側の無線通信機から受信側の無線通信機を呼び出した場合に、前記送信側の無線通信機に設定された数字列によるコード番号を、受信側の無線通信機に表示するように構成された無線通信システムにおいては、前記コード番号は、例えば相手局のＩＤで構成されたものであるので、受信側においては、表示された前記コード番号から送信側の無線通信機を特定して認識することは容易ではなかった。交信相手の数が少ない場合は特定して認識可能であっても、交信する可能性のある相手の無線通信機の数が多くなると困難である。
なお、特定小電力トランシーバにおいて、文字情報を送信し、受信側では前記文字情報を表示する機能を備えたものが提案されている。（例えば、特許文献１参照）
【０００３】
【特許文献１】特開平０７−２６４０８９号公報
【発明の開示】
【発明が解決しようとする課題】
【０００４】
前記特許文献１にて開示されている特定小電力トランシーバにおいては、確かに通信内容としての文字情報を送信し、受信側で表示することができるが、送信側の無線通信機を特定するための文字情報を送信し、受信側で表示するものではないので、受信側においては、送信側の無線通信機を特定して認識することは容易ではなかった。
また、近年の携帯電話機などにおいては、受信側で送信側の名前やニックネームなどの情報を表示する機能を備えたものがあるが、これらの名前やニックネームなどは、受信側の携帯電話機などに予め使用者が設定登録しておく必要があり、予め使用者が設定登録していない相手の場合には、数字列で構成された相手側電話番号が表示されるので、相手を特定して認識することは容易ではなかった。
【０００５】
そこで、本発明は、送信側の無線通信機に予め設定登録した数字以外の文字を含む文字情報を、受信側で表示できる無線通信システムを提供し、通常時や非常時において送信された信号を受信したとき、送信側を迅速かつ正確に特定して認識可能とすることを目的としてなされたものである。
【課題を解決するための手段】
【０００６】
本発明に係る請求項１の無線通信システムでは、
送信側の無線通信機から受信側の無線通信機を呼び出した場合に、前記送信側の無線通信機に設定されたコード番号を、受信側の無線通信機に送信するように構成された無線通信システムにおいて、
前記送信側の無線通信機は、
当該無線通信機に設定されたコード番号が書き込まれたコード番号記憶手段と、
当該無線通信機に設定された任意の文字列からなる文字情報を記憶可能な文字情報記憶手段と、
前記文字情報記憶手段に記憶させる文字情報を設定可能な設定手段と、
前記文字情報記憶手段に記憶された文字情報を送信する文字情報送信手段と、
緊急送信に用いるエマージェンシースイッチと、
前記エマージェンシースイッチが所定の操作されたか否かを判定する判定手段と、
を備えるとともに、
コード番号を送信するコード番号送信モードおよび任意の文字列からなる文字情報を送信するニックネーム送信モードの２つの送信モードを備え、
前記送信側の無線通信機において前記エマージェンシースイッチが所定の操作されたと判定したときには、当該無線通信機の送信モードが、コード番号送信モードであってもニックネーム送信モードであっても、前記文字情報と緊急送信であることを示す情報とを送信する緊急送信手段を備え、
受信側の無線通信機は、
送信側の無線通信機から送信された文字情報を受信して、文字情報を抽出する文字情報抽出手段と、
前記文字情報抽出手段にて抽出した文字情報を出力する出力手段とを備えている。
請求項２の無線通信機は、
送信側の無線通信機から受信側の無線通信機を呼び出した場合に、前記送信側の無線通信機に設定されたコード番号を、受信側の無線通信機に送信するように構成された無線通信システムに用いる無線通信機において、
当該無線通信機に設定されたコード番号が書き込まれたコード番号記憶手段と、
当該無線通信機に設定された任意の文字列からなる文字情報を記憶可能な文字情報記憶手段と、
前記文字情報記憶手段に記憶させる文字情報を設定可能な設定手段と、
前記文字情報記憶手段に記憶された文字情報を送信する文字情報送信手段と、
緊急送信に用いるエマージェンシースイッチと、
前記エマージェンシースイッチが所定の操作されたか否かを判定する判定手段と、
を備えるとともに、
コード番号を送信するコード番号送信モードおよび任意の文字列からなる文字情報を送信するニックネーム送信モードの２つの送信モードを備えて、前記文字情報が送信側の無線通信機から送信されると、受信側の無線通信機では、前記文字情報を受信して、文字情報を抽出し、抽出した文字情報が出力されるように構成されており、
前記エマージェンシースイッチが所定の操作されたと判定したときには、当該無線通信機の送信モードが、コード番号送信モードであってもニックネーム送信モードであっても、前記文字情報と緊急送信であることを示す情報とを送信する緊急送信手段を備えている。
【発明の効果】
【０００７】
本発明にかかる請求項１の無線通信システムでは、
送信側の無線通信機から受信側の無線通信機を呼び出した場合に、前記送信側の無線通信機に設定されたコード番号を、受信側の無線通信機に送信するように構成された無線通信システムにおいて、
前記送信側の無線通信機は、
当該無線通信機に設定されたコード番号が書き込まれたコード番号記憶手段と、
当該無線通信機に設定された任意の文字列からなる文字情報を記憶可能な文字情報記憶手段と、
前記文字情報記憶手段に記憶させる文字情報を設定可能な設定手段と、
前記文字情報記憶手段に記憶された文字情報を送信する文字情報送信手段と、
緊急送信に用いるエマージェンシースイッチと、
前記エマージェンシースイッチが所定の操作されたか否かを判定する判定手段と、
を備えるとともに、
コード番号を送信するコード番号送信モードおよび任意の文字列からなる文字情報を送信するニックネーム送信モードの２つの送信モードを備え、
前記送信側の無線通信機において前記エマージェンシースイッチが所定の操作されたと判定したときには、当該無線通信機の送信モードが、コード番号送信モードであってもニックネーム送信モードであっても、前記文字情報と緊急送信であることを示す情報とを送信する緊急送信手段を備え、
受信側の無線通信機は、
送信側の無線通信機から送信された文字情報を受信して、文字情報を抽出する文字情報抽出手段と、
前記文字情報抽出手段にて抽出した文字情報を出力する出力手段とを備えているので、
送信側の無線通信機においてエマージェンシースイッチが所定の操作をされると、当該送信側の無線通信機の送信モードが、コード番号送信モードであってもニックネーム送信モードであっても、前記文字情報と緊急送信であることを示す情報とを送信するので、受信側の無線通信機では緊急時において送信側の無線通信機を迅速かつ正確に特定して認識可能となる。
請求項２の無線通信機は、前記無線通信システムに用いて前記効果を得ることができる。
【発明を実施するための最良の形態】
【０００８】
以下に、本発明にかかる無線通信システムに用いる無線通信機を、その実施の形態を示した図面に基づいて詳細に説明する。
図１は前記無線通信機のブロック図である。
図中、
１は無線通信機であり、送信時は、マイク２から入力された音声信号を、送信データ処理部３でデジタル変換・符号化処理等して送信信号を生成し、送信部４で変調して送信し、受信時は、受信部５で受信信号を復調し、受信データ処理部６では復調した信号を復号・誤り検出および誤り訂正処理等して音声信号を得て、スピーカ７から音響信号として出力するように構成されている。
【０００９】
さらに、送信状態に切り換えるためのＰＴＴスイッチ８、
緊急送信機能を作動させるためのエマージェンシースイッチ９、
当該無線通信機１に設定登録されているコード番号などの情報や、使用者が適宜設定登録可能な任意の文字列からなる文字情報（以後、単に「ニックネーム」とも言う。）などを記憶するメモリ部１０、
前記メモリ部１０に登録する文字情報などを入力するキー入力部１１、
前記メモリ部１０に登録する文字情報などの諸情報を外部から入力するためのインターフェースを備えた外部Ｉ／Ｆデータ入力部１２、
前記メモリ部１０に記憶されている情報や、前記キー入力部１１や外部Ｉ／Ｆデータ入力部１２から入力される情報や、通信条件や通信内容などを表示する表示部１３などを備えるとともに、前記各部を系統的に制御する制御部１４を備えている。
前記エマージェンシースイッチ９を長押しして、緊急送信機能を作動させると、送信データ処理部３が、ニックネームを表示せずにコード番号を表示する送信モード（コード番号送信モード）であっても、強制的にニックネームを表示する送信モード（ニックネーム送信モード）に切り換える。
【００１０】
前記送信データ処理部３は、
前記エマージェンシースイッチ９が長押しされたとき、緊急送信を要する事態が発生したことを判定する判定機能と、
前記ＰＴＴスイッチ８が押された場合には通常送信要求処理し、前記判定機能によって緊急送信が発生したと判定したときには緊急送信要求処理を行う送信要求判定機能と、
送信データにニックネームを付加するか否かを判定し、付加する場合には、前記制御部１４を介して前記メモリ部１０からニックネームを読み出して、送信データに付加する処理を行うニックネーム付加判定機能と、
得られた送信データを符号化処理して送信データを構築する送信データ構築機能とを備えている。
これらの諸機能は、主にソフトウェア処理によって実現されている。
【００１１】
前記メモリ部１０は、特許請求の範囲に記載されたコード番号記憶手段と文字情報記憶手段に対応し、前記キー入力部１１と外部Ｉ／Ｆデータ入力部１２とは特許請求の範囲に記載された設定手段に対応し、前記送信データ処理部３と送信部４とは特許請求の範囲に記載された文字情報送信手段に対応している。
また、前記受信部５と受信データ処理部６とは特許請求の範囲に記載された文字情報抽出手段に対応し、前記受信データ処理部６と制御部１４と表示部１３は特許請求の範囲に記載された出力手段に対応している。
また、前記送信データ処理部３と制御部１４とは特許請求の範囲に記載された判定手段に対応し、前記送信データ処理部３と送信部４と制御部１４とは特許請求の範囲に記載された緊急送信手段に対応している。
前記無線通信機１を２台以上用いることによって特許請求の範囲に記載された無線通信システムが構成される。
【００１２】
前記受信データ処理部６は、
受信データが、通常送信か緊急送信の何れであるかを判定する受信データ判定機能と、
受信データが通常送信されたデータである場合に、送信データに付加されたニックネームを抽出し、抽出されたニックネームを液晶表示するための文字データに変換し、前記表示部１３を、コード番号に代えて前記ニックネームを表示する通常表示モードにセットする機能と、
受信データが緊急送信されたデータである場合に、送信データに付加されたニックネームを抽出し、抽出されたニックネームと、受信データに含まれるコード番号を液晶表示するための文字データに変換するとともに、前記表示部１３を、前記ニックネームまたはコード番号と、「エマージェンシー」という文字データとを交互に表示するエマージェンシー表示モードにセットする機能と
を備えている。
【００１３】
以上の構成において、前記無線通信機１に予め設定登録されているコード番号以外に文字情報としてのニックネームを設定登録する場合の操作を説明する。
まず、キー入力部１１を操作してニックネーム登録メニューを呼び出す。
次に、キー入力部１１を操作して、例えば任意の文字列としての「ＴＡＲＯ」という文字列を設定して、当該無線通信機１のニックネームとして「ＴＡＲＯ」を設定登録する。
設定登録されたニックネームを構成する「ＴＡＲＯ」という文字列情報は、前記制御部１４を介してメモリ部１０に書き込まれて保存される。このニックネームは、設定変更されるか消去されるまでは変更なく保存される。
なお、以上のニックネーム設定登録作業は、キー入力部１１に代えて外部Ｉ／Ｆデータ入力部１２を介して作業することもできる。
また、キー入力部１１もしくは前記外部Ｉ／Ｆデータ入力部１２を介して接続した外部のコンピュータなどを操作してニックネーム付加モードに設定しておく。
なお、キー入力部１１もしくは前記外部Ｉ／Ｆデータ入力部１２を介して接続した外部のコンピュータなどを操作してニックネーム付加モードを設定解除することもできる。
【００１４】
以上のようにして、ニックネームを設定登録した無線通信機１を操作して、通常送信を行う場合の操作と動作を、図１、２を参照して以下に説明する。
まず、キー入力部１１を操作して送信先の無線通信機１のコード番号を入力し、ＰＴＴスイッチ８を押下すると、送信データ処理部３は、はじめに、前記エマージェンシースイッチ９が押されていないことから緊急送信ではなく、通常送信であると判定し、通常送信要求処理を行う。（ステップＳ２１）
続いて、通常送信要求にしたがって、送信データにニックネームを付加するか否かを判定し（ステップＳ２２）、ニックネーム送信モードに設定されている場合には、音声通信信号データを作成し（ステップＳ２３）、前記制御部１４を介して前記メモリ部１０にアクセスし、予め登録されている前記ニックネームを読み出して（ステップＳ２４）、送信データに付加する処理を行い（ステップＳ２５）、音声通信信号データを送信し（ステップＳ２６）、ニックネームを送信し（ステップＳ２７）、前記マイク２から入力された音声信号に基づいて生成した音声データを送信する（ステップＳ２８）。
コード番号送信モードに設定されている場合は、音声通信信号データを作成し（ステップＳ２９）、音声通信信号データを送信し（ステップ３０）、前記マイク２から入力された音声信号に基づいて生成した音声データを送信する（ステップＳ３１）。
このようにして送信データ処理部３において構築された送信データは、送信部４から送信されるのである。
【００１５】
次に、図１、３を参照して、ニックネームを設定登録した無線通信機１を操作して、緊急送信を行う場合の操作と動作を以下に説明する。
緊急送信の場合は、まず、所定のエマージェンシースイッチ９を長押しすると、送信データ処理部３は、はじめに、前記エマージェンシースイッチ９が長押しされていることから緊急送信であると判定し、緊急送信要求処理を行う。（ステップＳ３３）
続いて、緊急送信要求にしたがって、送信データにニックネームを付加する必要があることを判定し、ニックネーム送信モードに設定されている場合でも、コード番号送信モードに設定されている場合でも、前記制御部１４を介して前記メモリ部１０にアクセスし、予め登録されている前記ニックネームを読み出して抽出して（ステップＳ３４）、ニックネームが付加された送信データを生成する（ステップＳ３５）。
続いて、前記マイク２から入力された音声信号に基づいた音声データと、前記付加されたニックネームデータとを含み、緊急送信であることを示すデータも含んだ緊急送信データを符号化処理して送信データを構築する。
このようにして構築された送信データは、送信部４から送信されるのである（ステップＳ３６）。
【００１６】
次に、図１、４を参照して、以上の構成の無線通信機１を操作して、受信する場合の操作と動作を以下に説明する。
まず、ステップＳ４１において、受信した信号に、送信先を指定するデータとして自局のコード番号が含まれているか否かを調べ、自局のコード番号が含まれていない場合には受信しない。自局のコード番号が含まれている場合には、ステップＳ４２へ進んで受信信号を解読して受信データを得る。
ステップＳ４２で受信信号を解読した後、ステップＳ４３へ進む。
ステップＳ４３では、受信した信号に、緊急送信であることを示すデータが含まれているか否かを判定して、緊急送信されたものでない場合には、ステップＳ４４へ進み、緊急送信されたものである場合には、ステップＳ４８へ進む。
ステップＳ４４では、解読した受信データにニックネームが付加されているか否かを調べ、付加されていない場合はニックネームを表示しない。ニックネームが付加されている場合は、ステップＳ４５へ進んでニックネームを抽出し、ステップＳ４６において表示するための文字データに変換し、ステップＳ４７において表示部１３に、送信元のニックネームを表示する。
【００１７】
ステップＳ４８では、解読した受信データにニックネームが付加されているか否かをチェックし、ステップＳ４９では、ニックネームが付加されていない場合は、ステップＳ５０で送信元のコード番号を抽出してステップＳ５２へ進み、ニックネームが付加されている場合は、ステップＳ５１へ進んでニックネームを抽出してステップＳ５２へ進む。
ステップＳ５２では、前記ニックネームとコード番号とを表示するための文字データに変換し、ステップＳ５３では、表示部１３に、前記ニックネームまたはコード番号と、「エマージェンシー」という文字データとを交互に表示する。
【００１８】
以上のようにして、送信側がニックネーム送信モードの場合は、ニックネームを送信データに付加して送信するので、受信側では、送信データに付加されているニックネームを抽出して表示することができるので、送信元を容易にかつ正確に特定して認識することができる。
さらに、緊急送信においては、送信側がコード番号送信モードの場合であっても、強制的にニックネーム送信モードに切り換えて、ニックネームを送信データに付加して送信するので、受信側では、送信データに付加されているニックネームを抽出して表示するとともに、緊急送信であることを表示するので、緊急送信を発している送信元を容易にかつ正確に特定して認識することができる。
【実施例１】
【００１９】
図５は実施例１の無線通信システムにおける通信データのフレーム構造を示す図である。
ＰＴＴスイッチ８を押下すると、送信データ処理部３では図５（ａ）に示したような同期バースト信号を生成して、送信部４から送信する。
図５（ａ）のパラメータ情報チャンネルＰＩＣＨには送信元のコード番号や相手先（受信側）のコード番号が含まれている。
緊急送信された信号の場合には、無線情報チャンネルＲＩに緊急送信を示すフラグが立てられている。
前記同期バースト信号に続いて図５（ｂ）に示したような通信用チャンネルを生成して送信する。
ニックネーム送信モードの場合には、図５（ｂ）の低速制御チャンネルＳＡＣＣＨには送信元のニックネームのデータが含まれている。
高速制御チャンネルＦＡＣＣＨには実際の音声データなどの通信内容が含まれている。
【図面の簡単な説明】
【００２０】
【図１】本発明にかかる無線通信システムに用いる無線通信機の実施の形態のブロック図である。
【図２】上記無線通信機における通常送信の手順を説明するフローチャートである。
【図３】上記無線通信機における緊急送信の手順を説明するフローチャートである。
【図４】上記無線通信機における受信動作の手順を説明するフローチャートである。
【図５】実施例１の無線通信システムにおける通信データのフレーム構造を示す図である。
【符号の説明】
【００２１】
１  無線通信機
２  マイク
３  送信データ処理部、文字情報送信手段、判定手段、緊急送信手段
４  送信部、文字情報送信手段、緊急送信手段
５  受信部、文字情報抽出手段
６  受信データ処理部、文字情報抽出手段、出力手段
７  スピーカ
８  ＰＴＴスイッチ、
９  エマージェンシースイッチ、
１０  メモリ部、コード番号記憶手段、文字情報記憶手段
１１  キー入力部、設定手段
１２  外部Ｉ／Ｆデータ入力部、設定手段
１３  表示部、出力手段
１４  制御部、出力手段、判定手段、緊急送信手段
【図１】
0004830615.tif 000002
【図２】
0004830615.tif 000003
【図３】
0004830615.tif 000004
【図４】
0004830615.tif 000005
【図５】
0004830615.tif 000006